(57)【特許請求の範囲】
【請求項１】
外部入力信号の１画面分の時間に相当する１フレームを相対的輝度の異なる複数のサブフィールドで構成し、複数階調の映像を表示するプラズマディスプレイの駆動方法において、上記１フレームの処理時間は外部入力信号の垂直同期信号の周期以内として、複数のサブフィールドの終了後で次の１フレームの開始までの間に表示動作を停止する休止期間を設け、上記１フレーム毎に1フレームの表示制御を行うクロックの周波数を変化させることを特徴とするプラズマディスプレイの駆動方法。
【請求項２】
ランダムノイズで制御するクロック発生器を用いることを特徴とする請求項１記載のプラズマディスプレイの駆動方法。
【請求項３】
複数のクロック発生器と上記複数のクロックを切り替えるクロック切り替え回路を用いることを特徴とする請求項１記載のプラズマディスプレイの駆動方法。
【請求項４】
外部入力信号の１画面分の時間に相当する１フレームを相対的輝度の異なる複数のサブフィールドで構成し、複数階調の映像を表示するプラズマディスプレイの駆動方法において、上記１フレームの処理時間は外部入力信号の垂直同期信号の周期以内として、上記１フレームを構成する複数のサブフィールド毎に維持パルスの周期を変化させるように上記サブフィールドの表示制御を行うクロックの周波数を変化させることを特徴とするプラズマディスプレイの駆動方法。
【請求項５】
ランダムノイズで制御するクロック発生器を用いることを特徴とする請求項４記載のプラズマディスプレイの駆動方法。
【請求項６】
複数のクロック発生器と上記複数のクロックを切り替えるクロック切り替え回路を用いることを特徴とする請求項４記載のプラズマディスプレイの駆動方法。
【発明の詳細な説明】
【０００１】
【発明の属する技術分野】
本発明は、プラズマディスプレイパネル（以下、ＰＤＰと記す）の階調表示可能な駆動方法の１つである、いわゆるサブフィールド法の駆動回路およびパネルから発生する高周波ノイズの軽減方法に関するものである。
【０００２】
【従来の技術】
従来、ＰＤＰの階調表示可能な駆動方法の１つとして、特開平４−１９５０８７号公報等に示されるサブフィールド法と呼ばれる駆動方法が用いられている。以下、この方法について図面を参照しながら説明する。
【０００３】
図２は、１フレームを８つのサブフィールド（ＳＦ１〜８）に分割し、映像信号８ビット（２５６階調）の階調表示を行う時のタイムチャートである。図２において、各サブフィールドは書き込み期間と維持期間からなっている。書き込み期間は、ＰＤＰのマトリックス状に並んだ各画素に、続く維持期間の放電の有無を記憶させるためのものであり、上記記憶動作は第１行から順番に行われる。また図のように、維持期間の放電パルス数をそれぞれ「１」、「２」、「４」、「８」、「１６」、「３２」、「６４」、「１２８」とすれば、映像信号８ビットにそれぞれ対応する重み（輝度）を持たせることができる。いま、ある画素を「１２９」の輝度で光らせる場合、
「１２９」＝「１」＋「１２８」であるから、第１および第８サブフィールドの書き込み期間のみに書き込みを行えばよい。
【０００４】
【発明が解決しようとする課題】
上述のように、書き込み期間にすべての画素に書き込みを行い、上記書き込みに基づいて、続く維持期間に全画素が一斉に放電を行うため、維持期間の放電パルス周波数の高調波が、不要輻射波として駆動回路およびＰＤＰから放射される。従来のサブフィールド法を用いたＰＤＰテレビの場合、チューナに上記不要輻射波が混入し、選局するチャンネルによっては、映し出される映像に斜め縞等の妨害が発生するという課題を有していた。
【０００５】
【課題を解決するための手段】
前記課題を解決するために、本発明のＰＤＰの駆動方法は、フレーム毎、あるいはサブフィールド毎に表示制御を行うクロックの周波数を変化させる。
【０００６】
本発明により、維持期間の放電パルスの周波数を変化させ、上記周波数の高調波を分散させ、特定のチャンネルに対する妨害を軽減し、美しい映像を表示するＰＤＰテレビを得ることができる。
【０００７】
【発明の実施の形態】
本発明の請求項１に記載の発明は、外部入力信号の１画面分の時間に相当する１フレームを相対的輝度の異なる複数のサブフィールドで構成し、複数階調の映像を表示するプラズマディスプレイの駆動方法において、上記１フレームの処理時間は外部入力信号の垂直同期信号の周期以内として、複数のサブフィールドの終了後で次の１フレームの開始までの間に表示動作を停止する休止期間を設け、上記１フレーム毎の休止期間の時間を変化させるように１フレームの表示制御を行うクロックの周波数を変化させることにより、維持期間の放電パルス周波数の高調波が変化するため、上記高調波がチューナに混入し、画面に発生する斜め縞等の妨害が１画面毎（１フレーム毎）に変化するので、実際にはほとんど人間の目に検知されない美しい映像をＰＤＰテレビに表示するという作用を有する。
【０００８】
つぎに、本発明の請求項４に記載の発明は、外部入力信号の１画面分の時間に相当する１フレームを相対的輝度の異なる複数のサブフィールドで構成し、複数階調の映像を表示するプラズマディスプレイの駆動方法において、上記１フレームの処理時間は外部入力信号の垂直同期信号の周期以内として、上記１フレームを構成する複数のサブフィールド毎の処理時間を変化させるように上記サブフィールドの表示制御を行うクロックの周波数を変化させることにより、維持期間の放電パルス周波数の高調波が変化するため、上記高調波がチューナに混入し、画面に発生する斜め縞等の妨害が１画面中サブフィールドの回数だけ変化するので、さらに人間の目に検知されない美しい映像をＰＤＰテレビに表示するという作用を有する。
【０００９】
また、本発明の請求項２および５に記載の発明は、ランダムノイズで制御するクロック発生器を用いて、上記請求項１および４に示した作用を行うため、画面に発生する斜め縞等の妨害を不連続にすることができ、さらに美しい映像をＰＤＰテレビに表示することができる。
【００１０】
さらに、本発明の請求項３および６に記載の発明は、複数のクロック発生器と上記複数のクロックを切り替えるクロック切り替え回路を用いて、維持期間の放電パルス周波数を何種類か選択することにより、上記放電パルス周波数の高調波の周波数依存性を軽減し、安定して美しい映像をＰＤＰテレビに表示することができる。
【００１１】
（実施の形態１）
以下に、本発明の請求項１に記載された発明の実施の形態について、図１を参照しながら説明する。
【００１２】
図１は本発明におけるＰＤＰの駆動方法の１実施例のブロック構成図である。図１において、外部よりアナログ映像信号Ｒ、Ｇ、Ｂおよび水平同期信号ＨＤ、垂直同期信号ＶＤが入力されると、上記アナログ映像信号をプラズマディスプレイパネル（ＰＤＰ）８の水平画素数にあわせてサンプリングするための同期クロックが、Ａ／Ｄ変換器１およびフレームメモリ２の書き込みパルス入力に入力され、上記フレームメモリ２には、例えば８ビットにデジタル化された映像信号が書き込まれる。上記同期クロックは、同期クロック発生回路３と制御回路４によって、上記水平同期信号ＨＤとＰＬＬ動作により上記ＰＤＰ８の水平画素数に応じて発生する。上記ＰＬＬ動作は一般的なものであり、詳細は割愛する。次に、上記フレームメモリ２に書き込まれたデジタル映像信号は、サブフィールド法に即して最下位ビットから順に読み出され、次段のサブフィールド論理回路６により、従来例で説明に用いた図２のタイムチャートの書き込み期間のオンオフに使われる。ここで、上記読み出しに用いられる表示クロックは、周波数可変表示クロック発生回路５と制御回路４により発生する。ここで大事なことは、上記表示クロックは外部入力信号と同期している必要はなく、上記図２のタイムチャートの１フレームの処理時間が外部入力信号の１画面分の時間、すなわち垂直同期信号周期（１／ＶＤ）以内に収まっていればよい。続いて、上記サブフィールド論理回路６より出力されたサブフィールド信号は駆動回路７によって上記ＰＤＰ８の放電に必要な電圧まで増幅されて、上記ＰＤＰ８を駆動する。
【００１３】
次に、本発明の実施の形態１におけるＰＤＰの駆動方法の特徴を説明する。図３において、ある１フレーム（第ｎフレーム）の処理時間は上記表示クロックの周波数により決まる。いま、必ず１フレームの処理時間を上記垂直同期信号の周期（１／ＶＤ）以内に収め、上記１フレームの処理時間と垂直同期信号の周期との２つの時間差を休止期間（図３に示すように、複数のサブフィールドＳＦ１〜ＳＦ８の終了後で次の１フレームの開始までの期間）として表示動作を停止すれば、外部入力信号と同期を保ったままサブフィールド駆動をすることができる。すなわち、図３のｔｎ，ｔｎ＋１のように、１フレーム毎に休止期間を設け、１フレーム毎に上記表示クロックの周波数を変化させることにより、維持期間の放電パルス周波数の高調波が変化するため、上記高調波がチューナに混入し、画面に発生する斜め縞等の妨害が１画面毎（１フレーム毎）に変化するので、実際にはほとんど人間の目に検知されない美しい映像をＰＤＰテレビに表示することができる。
【００１４】
（実施の形態２）
以下に、本発明の請求項４に記載された発明の実施の形態について、図を参照しながら説明する。
【００１５】
基本的な駆動方法は実施の形態１とほぼ同じなため、本発明の実施の形態２におけるＰＤＰの駆動方法の特徴を図４により説明する。図４は、上記図２のタイムチャートにおける第ｍおよび第（ｍ＋１）サブフィールドの維持期間の維持パルスを拡大した図である。図において上記２種類の維持パルスの周期１／ｆｍ、１／ｆ（ｍ＋１）を変化させても、実施の形態１と同様に、８つのサブフィールドの処理時間（＝１フレームの処理時間）を上記外部からの垂直同期信号周期（１／ＶＤ）以内とすれば、外部入力信号と同期を保ったままサブフィールド駆動をすることができる。すなわち、サブフィールド毎に維持パルスの周期を変化させるように表示制御を行うクロックの周波数を変化させることにより、維持期間の放電パルス周波数の高調波が変化するため、上記高調波がチューナに混入し、画面に発生する斜め縞等の妨害が１画面中サブフィールドの回数だけ変化するので、さらに人間の目に検知されない美しい映像をＰＤＰテレビに表示するという作用を有する
（実施の形態３）
以下に、本発明の請求項２および請求項５に記載された発明の実施の形態について、図１を参照しながら説明する。
【００１６】
基本的な駆動方法は実施の形態１および２とほぼ同じながら、図１の周波数可変表示クロック発生回路をランダムノイズで制御するクロック発生器に置き換え、８つのサブフィールドの処理時間（＝１フレームの処理時間）を外部からの垂直同期信号周期（１／ＶＤ）以内とすれば、外部入力信号と同期を保ったままサブフィールド駆動ができ、しかも画面に発生する斜め縞等の妨害を不連続にすることができ、さらに美しい映像をＰＤＰテレビに表示することができる。
【００１７】
（実施の形態４）
以下に、本発明の請求項３および請求項６に記載された発明の実施の形態について、図１を参照しながら説明する。
【００１８】
基本的な駆動方法は実施の形態１および２とほぼ同じながら、図１の周波数可変表示クロック発生回路を複数のクロック発生器と上記複数のクロックを切り替えるクロック切り替え回路に置き換え、８つのサブフィールドの処理時間（＝１フレームの処理時間）を外部からの垂直同期信号周期（１／ＶＤ）以内とすれば、外部入力信号と同期を保ったままサブフィールド駆動ができる。ここで、複数のクロック発生器と上記複数のクロックを切り替えるクロック切り替え回路を用いて、維持期間の放電パルス周波数を何種類か選択することにより、上記放電パルス周波数の高調波の周波数依存性を軽減し、安定して美しい映像をＰＤＰテレビに表示することができる。
【００１９】
【発明の効果】
以上説明したように、本発明の第１のＰＤＰの駆動方法によれば、フレーム毎に表示制御を行うクロックの周波数を変化させることにより、維持期間の放電パルス周波数の高調波が変化するため、上記高調波がチューナに混入し、画面に発生する斜め縞等の妨害が１画面毎（１フレーム毎）に変化するので、実際にはほとんど人間の目に検知されない美しい映像を表示するＰＤＰテレビを提供できる。
【００２０】
また、本発明の第２のＰＤＰの駆動方法によれば、サブフィールド毎に表示制御を行うクロックの周波数を変化させることにより、維持期間の放電パルス周波数の高調波が変化するため、上記高調波がチューナに混入し、画面に発生する斜め縞等の妨害が１画面中サブフィールドの回数だけ変化するので、さらに人間の目に検知されない美しい映像を表示するＰＤＰテレビを提供できる。
【００２１】
また、本発明の第３のＰＤＰの駆動方法によれば、ランダムノイズで制御するクロック発生器を用いて、上記実施例１および２に示した作用を行うため、画面に発生する斜め縞等の妨害を不連続にすることができ、さらに美しい映像を表示するＰＤＰテレビを提供できる。
【００２２】
さらに、本発明の第４のＰＤＰの駆動方法によれば、複数のクロック発生器と上記複数のクロックを切り替えるクロック切り替え回路を用いて、維持期間の放電パルス周波数を何種類か選択することにより、上記放電パルス周波数の高調波の周波数依存性を軽減し、安定して美しい映像を表示するＰＤＰテレビを提供できる。
【図面の簡単な説明】
【図１】  本発明の一実施例におけるＰＤＰの駆動方法のブロック構成図
【図２】  サブフィールド法により、映像信号８ビット（２５６階調）の階調表示を行う時のタイムチャート
【図３】  本発明の実施の形態１におけるＰＤＰの駆動方法の特徴を示す図
【図４】  本発明の実施の形態２におけるＰＤＰの駆動方法の特徴を示す図
【符号の説明】
Ｒ、Ｇ、Ｂ  外部より入力されたアナログ映像信号
ＨＤ  外部より入力された水平同期信号
ＶＤ  外部より入力された垂直同期信号
１  Ａ／Ｄ変換器
２  フレームメモリ
３  同期クロック発生回路
４  制御回路
５  周波数可変表示クロック発生回路
６  サブフィールド論理回路
７  駆動回路
８  プラズマディスプレイパネル（ＰＤＰ）
ＳＦ１〜８  サブフィールド
ｔｎ，ｔｎ＋１  休止期間
【図１】
0003755214.tif 000002
【図２】
0003755214.tif 000003
【図３】
0003755214.tif 000004
【図４】
0003755214.tif 000005